(57)【特許請求の範囲】
【請求項１】
パイロット信号を用いて受信信号の位相補正を行なうＣＤＭＡ通信用の移動体通信端末において、
データ信号を含む通信チャネルの拡散コードとは異なる拡散コードで拡散された第１パイロット信号を逆拡散する第１パイロット信号逆拡散部と、
前記データ信号内に挿入されて前記データ信号と同一の拡散コードで拡散された第２パイロット信号を逆拡散する第２パイロット信号逆拡散部と、
該第１パイロット信号逆拡散部にて逆拡散処理の施された信号について複素演算処理を行ない、第１演算処理結果として出力する第１複素演算部と、
該第２パイロット信号逆拡散部にて逆拡散処理の施された信号について複素演算処理を行ない、第２演算処理結果として出力する第２複素演算部と、
上記の第１演算処理結果および第２演算処理結果を用いて、前記位相補正のための位相補正量を出力する補正量出力部と、をそなえて構成されるとともに、
該補正量出力部が、
前記第１演算処理結果を用いて、前記第１パイロット信号による第１受信品質指標値を測定する第１受信品質測定部と、
前記第２演算処理結果を用いて、前記第２パイロット信号による第２受信品質指標値を測定する第２受信品質測定部と、
前記第１演算処理結果を用いて、前記受信信号の位相補正量を算出し、第１補正量として出力する第１位相補正量算出部と、
前記第２演算処理結果を用いて、前記受信信号の位相補正量を算出し、第２補正量として出力する第２位相補正量算出部と、
上記の第１受信品質指標値および第２受信品質指標値に基づいて、上記の第１補正量および第２補正量に対する配分比パラメータを設定する配分比設定部と、
該配分比設定部からの前記配分比パラメータにより、上記の第１補正量および第２補正量が配分された値を算出し、前記位相補正量として出力する出力部と、をそなえて構成されたことを特徴とする、移動体通信端末。
【請求項２】
該配分比設定部が、前記の第１受信品質指標値が第２受信品質指標値に対して相対的に劣化するに従い、前記第２補正量の配分比を前記第１補正量の配分比に対して相対的に増加させるように構成されたことを特徴とする、請求項１記載の移動体通信端末。
【請求項３】
該配分比設定部が、前記第１受信品質指標値が前記第２受信品質指標値よりも大きい場合には、該第１位相補正量算出部からの第１補正量を前記位相補正量として出力すべく前記配分比パラメータを設定する一方、前記第１受信品質指標値が前記第２受信品質指標値よりも小さい場合には、該第２位相補正量算出部からの第２補正量を前記位相補正量として出力すべく前記配分比パラメータを設定することを特徴とする、請求項１記載の移動体通信端末。
【請求項４】
上記の第１受信品質指標値との大小判断の対象となる第２受信品質指標値に前記受信品質指標値の種類に応じた比較マージン値が設定され、該配分比設定部が、前記の第１受信品質指標値と第２受信品質指標値に上記比較マージン値を加えた値との大小に応じた配分比パラメータを設定すべく構成されたことを特徴とする、請求項３記載の移動体通信端末。
【請求項５】
上記の第１受信品質測定部および第２受信品質測定部が、前記各パイロット信号による受信品質指標値として、受信レベルを測定するように構成されたことを特徴とする、請求項１記載の移動体通信端末。
【請求項６】
上記の第１受信品質測定部および第２受信品質測定部が、前記各パイロット信号による受信品質指標値として、信号対干渉比またはビット単位の信号対雑音比を測定するように構成されたことを特徴とする、請求項１記載の移動体通信端末。
【請求項７】
上記の第１受信品質測定部および第２受信品質測定部が、前記各パイロット信号による受信品質指標値として、前記受信レベルとともに、前記各パイロット信号のパターンのエラー数を算出するように構成されたことを特徴とする、請求項１記載の移動体通信端末。
【請求項８】
該配分比設定部が、上記の第１受信品質指標値および第２受信品質指標値の関係に対応した配分比パラメータについて記憶する参照テーブルをそなえ、上記の第１受信品質測定部および第２受信品質測定部からの各受信品質指標値をもとに、該参照テーブルを参照することにより、上述の配分比パラメータを出力制御すべく構成されたことを特徴とする、請求項１〜７のいずれか一項記載の移動体通信端末。
【請求項９】
該第２受信品質測定部が、所定の区間において測定された受信品質指標値データを平均することにより、前記各パイロット信号による受信品質指標値を測定すべく構成されたことを特徴とする、請求項１〜８のいずれか一項記載の移動体通信端末。
【請求項１０】
該配分比設定部が、上記の第１受信品質指標値および第２受信品質指標値に応じて、上記の第１演算処理結果および第２演算処理結果に対する干渉補正値がそれぞれ設定され、該出力部においては、前記干渉補正値により補正された各演算処理結果について、前記配分比パラメータにより配分された値を算出して、前記位相補正量として出力すべく構成されたことを特徴とする、請求項１〜９のいずれか一項記載の移動体通信端末。
【発明の詳細な説明】
【０００１】
【発明の属する技術分野】
本発明は、移動体通信端末に関し、特に、ＣＤＭＡ(Code Division Multiple Access)通信方式を採用し、２系統のパイロット信号を用いてチャネル推定精度の向上を図った移動体通信端末に関するものである。
【０００２】
【従来の技術】
ＣＤＭＡ通信方式を採用する移動体通信システムにおいては、システム容量が増加していることに鑑み、無線基地局からのトータルの送信レベルの増大を抑制することが必須となっている。そのため、受信特性の優れている同期検波が採用されており、無線基地局はパイロット信号（既知の信号）を送信している。
【０００３】
無線基地局から送信されたパイロット信号は移動体通信端末で受信され、移動体通信端末はこのパイロット信号により補正すべき受信信号の位相回転量を推定（チャネル推定）し、受信信号の位相補正を行なうことで同期検波が実現されている。ここで用いられるパイロット信号としては、一般的には各移動体通信端末に割り当てられる個別の通信チャネルと、同一のコードで拡散された内挿パイロット信号がある。
【０００４】
ところで、近年においては、無線基地局では、上述のごとき内挿パイロット信号の他に、通信チャネルと異なるコード（周波数は同一）で固定のデータパターン（例えばオール“０”）が拡散された外挿パイロット信号を、各移動体通信端末に共通のチャネルで送信することが採用され、受信側となる移動体通信端末において、この外挿パイロット信号を用いて上述のごとき位相回転量を推定する手法について検討されている。
【０００５】
受信側の移動体通信端末においては、連続的に送信される外挿パイロット信号を用いる方が、データスロット内に周期的に埋め込まれた内挿パイロット信号を用いるよりも位相回転量の推定精度が高いことが知られており、内挿パイロット信号を用いずに外挿パイロット信号のみを用いることも考えられる。
【０００６】
【発明が解決しようとする課題】
しかしながら、ＣＤＭＡ通信方式を採用する移動体通信システムにおいては、遠近問題を考慮する必要がある。従って、無線基地局から移動体通信端末に対する下り通信チャネルについては、ＴＰＣ制御（Transmission Power Control；送信パワー制御）を行なっており、移動体通信端末が無線基地局から離れるほど送信電力が高くなる。
【０００７】
したがって、個別の通信チャネルに内挿される内挿パイロット信号については、移動体通信端末が無線基地局から離れるにつれＴＰＣ制御により高い送信電力で送信されるが、外挿パイロット信号は各移動体通信端末に共通であり、いずれか一つの移動体通信端末に合わせてＴＰＣ制御を行なうことができない。即ち、内挿、外挿パイロットそれぞれにメリット，デメリットがあり単純に採用するものを選択することができない。
本発明はこのような課題に鑑み創案されたもので、外挿パイロット信号と内挿パイロット信号とを、それぞれの特徴を考慮しつつ併用することにより、チャネル推定精度を向上させ同期検波能力の向上を図った、移動体通信端末を提供することを目的とする。
【０００８】
【課題を解決するための手段】
このため、本発明の移動体通信端末は、ＣＤＭＡ通信方式による逆拡散処理の施された受信信号についてのキャリア信号を同期検波により再生するために、パイロット信号からデータ信号の位相回転量を推定する移動体通信端末であって、前記データ信号を含む通信チャネルの拡散コードとは異なる拡散コードで拡散された第１パイロット信号を逆拡散する第１パイロット信号逆拡散部と、前記データ信号内に挿入されて前記データ信号と同一の拡散コードで拡散された第２パイロット信号を逆拡散する第２パイロット信号逆拡散部と、該第１パイロット信号逆拡散手段にて逆拡散処理の施された信号について複素演算処理を行ない、第１演算処理結果として出力する第１複素演算部と、該第２パイロット信号逆拡散手段にて逆拡散処理の施された信号について複素演算処理を行ない、第２演算処理結果として出力する第２複素演算部と、上記の第１演算処理結果および第２演算処理結果を用いて、前記受信信号の同期検波のための位相回転量の推定結果を出力する補正量出力部と、をそなえて構成されるとともに、該補正量出力部が、前記第１演算処理結果を用いて、前記第１パイロット信号による第１受信品質指標値を測定する第１受信品質測定部と、前記第２演算処理結果を用いて、前記第２パイロット信号による第２受信品質指標値を測定する第２受信品質測定部と、前記第１演算処理結果を用いて、前記受信信号の位相補正量を算出し、第１補正量として出力する第１位相補正量算出部と、前記第２演算処理結果を用いて、前記受信信号の位相補正量を算出し、第２補正量として出力する第２位相補正量算出部と、上記の第１受信品質指標値および第２受信品質指標値に基づいて、上記の第１補正量および第２補正量に対する配分比パラメータを設定する配分比設定部と、該配分比設定部からの前記配分比パラメータにより、上記の第１補正量および第２補正量が配分された値を算出し、前記位相補正量として出力する出力部と、をそなえて構成されたことを特徴としている。
【００１０】
さらに、該配分比設定部を、前記の第１受信品質指標値が第２受信品質指標値に対して相対的に劣化するに従い、前記第２補正量の配分比を前記第１補正量の配分比に対して相対的に増加させるように構成してもよい。
また、該配分比設定部を、前記第１受信品質指標値が前記第２受信品質指標値よりも大きい場合には、該第１位相補正量算出部からの第１補正量を前記位相補正量として出力すべく前記配分比パラメータを設定する一方、前記第１受信品質指標値が前記第２受信品質指標値よりも小さい場合には、該第２位相補正量算出部からの第２補正量を前記位相補正量として出力すべく前記配分比パラメータを設定することとしてもよい。
【００１１】
さらに、上記の第１受信品質指標値との大小判断の対象となる第２受信品質指標値に前記受信品質指標値の種類に応じた比較マージン値が設定され、該配分比設定部を、前記の第１受信品質指標値と第２受信品質指標値に上記比較マージン値を加えた値との大小に応じた配分比パラメータを設定すべく構成してもよい。
また、上記の第１受信品質測定部および第２受信品質測定部が、前記各パイロット信号による受信品質指標値として、受信レベルを測定するように構成してもよい。
そして、上記の第１受信品質測定部および第２受信品質測定部が、前記各パイロット信号による受信品質指標値として、信号対干渉比またはビット単位の信号対雑音比を測定するように構成してもよい。
【００１２】
また、好ましくは、上記の第１受信品質測定部および第２受信品質測定部が、前記各パイロット信号による受信品質指標値として、前記受信レベルとともに、前記各パイロット信号のパターンのエラー数を算出するように構成することとしてもよい。
【００１３】
また、該配分比設定部が、上記の第１受信品質指標値および第２受信品質指標値の関係に対応した配分比パラメータについて記憶する参照テーブルをそなえ、上記の第１受信品質測定部および第２受信品質測定部からの各受信品質指標値をもとに、該参照テーブルを参照することにより、上述の配分比パラメータを出力制御すべく構成してもよい。
【００１４】
この場合においては、該第２受信品質測定部が、所定の区間において測定された受信品質指標値データを平均することにより、前記各パイロット信号による受信品質指標値を測定すべく構成してもよい。
また、該配分比設定部が、上記の第１受信品質指標値および第２受信品質指標値に応じて、上記の第１演算処理結果および第２演算処理結果に対する干渉補正値がそれぞれ設定され、該出力部においては、前記干渉補正値により補正された各演算処理結果について、前記配分比パラメータにより配分された値を算出して、前記位相補正量として出力すべく構成してもよい。
【００１５】
【発明の実施の形態】
（ａ）本発明の一実施形態の説明
以下、図面を参照することにより、本発明の実施の形態を説明する。
図１は本発明の一実施形態にかかる移動体通信端末の受信系を示すブロック図であり、図２は基地局の送信系を示すブロック図であり、特に内挿パイロット信号（第２パイロット信号）及び外挿パイロット信号（第１パイロット信号）を送出する機能をそなえている。
【００１６】
以下、本発明の特徴部分となる移動体通信端末の構成についての説明に先行して、移動体通信端末の受信系動作の前提となる基地局の送信系に関し、特に外挿パイロット信号および内挿パイロット信号の送信態様と送信電力制御の態様とに着目しながら説明していくこととする。
まず、図２に示す無線基地局（以下、単に基地局という場合もある）の送信系１８においては、拡散コードとして外挿パイロット信号用のチャネライゼーション・コード(Channelization Code)１，基地局固有のスクランブリング・コード(Scrambling Code)２および個別の通信チャネル♯１〜♯Ｎ用のチャネライゼーション・コード（図２中は通信チャネル♯１のみを図示）３をそなえている。
【００１７】
なお、上述の外挿パイロット信号用のチャネライゼーション・コード１と各通信チャネル用のチャネライゼイション・コードとは、互いに異なるものである。換言すれば、外挿パイロット信号は、各チャネル♯１〜♯Ｎのデータとは異なるチャネルとして送信されるようになっている。
また、５は上述のチャネライゼーション・コード１とスクランブリング・コード２とを加算する加算部、６は加算部５にて加算された拡散符号を用いて外挿パイロット信号用固定データ４について拡散処理を施してＩ／Ｑ値として出力する拡散・Ｉ／Ｑ値化部である。なお、外挿パイロット信号用固定データとしては、既知パターンのデータ（例えばオール“０”等のデータ）を用いることができる。
【００１８】
さらに、９は内挿パイロット信号用の固定データ７および通信チャネル♯１のデータ（個別ＣＨデータ♯１）８のいずれかを選択的に出力する選択部であり、この選択部９により、内挿パイロット信号用の固定データ７を通信チャネル♯１のデータ（個別ＣＨデータ♯１）８に挿入して出力できるようになっている。
また、１０は通信チャネル♯１用のチャネライゼーション・コード３とスクランブリング・コード２とを加算する加算部、１１は通信チャネル♯１のデータについて拡散しＩ／Ｑ値として出力する拡散・Ｉ／Ｑ値化部である。即ち、この拡散・Ｉ／Ｑ値化部１１により、加算部１０にて加算された拡散符号を用いることにより、内挿パイロット信号用の固定データ７が挿入されたデータ８について拡散処理を施して、Ｉ／Ｑ値として出力するようになっている。
【００１９】
さらに、１２は移動体通信端末に対する送信電力を制御するための指示を出力するＴＰＣ部、１３はＴＰＣ部１２からの指示に基づき拡散・Ｉ／Ｑ値化部１１からのチャネル♯１の拡散データの送信電力（下りパワー）を制御する下りパワー制御部である。尚、ここでは通信チャネル♯１のデータについての機能部について説明したが、他の通信チャネル♯２〜♯Ｎ用に、選択部９，加算部１０，拡散・Ｉ／Ｑ値化部１１，ＴＰＣ部１２および下りパワー制御部１３に対応する図示しない機能部をそなえて構成してもよい。
【００２０】
また、１４Ｉ，１４Ｑはともに加算部であり、加算部１４Ｉは、拡散・Ｉ／Ｑ値化部６にて拡散されたデータ（Ｉ値）とともに、パワー制御の施された各通信チャネル♯１〜♯Ｎのデータ（Ｉ値）を加算するものである。同様に、加算部１４Ｑは、拡散・Ｉ／Ｑ値化部６にて拡散されたデータ（Ｑ値）とともに、パワー制御の施された各通信チャネル♯１〜♯Ｎのデータ（Ｑ値）を加算するものである。
【００２１】
さらに、１５Ａは加算部１４Ｉからのデータにコサイン関数(cos)を乗算するコサイン乗算部で、１５Ｂは加算部１４Ｑからのデータにサイン関数(-sin)を乗算するサイン乗算部で、１６はコサイン乗算部１５Ａおよびサイン乗算部１５Ｂからの演算結果を加算する加算部であり、これらのコサイン乗算部１５Ａ，サイン乗算部１５Ｂおよび加算部１６により、Ｉ／Ｑ値化されたデータをもとのベクトル情報に変換できるようになっている。
【００２２】
なお、１７は送信増幅・ＲＦ部であり、この送信増幅・ＲＦ部１７は、ベクトル化された送信信号について増幅およびＲＦ（Radio Frequency）信号処理を行なって、移動体通信端末に対して無線送信するものである。
ところで、上述の各通信チャネルのデータおよび外挿パイロット信号の各拡散データは、例えば図３に示すようなタイミングで送信されるようになっている。即ち、外挿パイロット信号４′と各通信チャネルの有効シンボルとは同一のタイミング（同一の伝搬路）で送信される。即ち、１フレーム単位の外挿パイロット信号と、１５スロット単位の通信チャネルのデータ（ＴＳ１〜ＴＳ１５）とが、互いに同期して送信できるようになっている。
【００２３】
一方、内挿パイロット信号は各通信チャネル８Ａのデータに周期的に挿入されるが、詳細には、それぞれの通信チャネル８Ａにおける各データスロット内に時分割多重されている。換言すれば、前述の図２に示す選択部９においては、所定長のデータ単位に内挿パイロット信号用データを選択的に出力することにより、一対の内挿パイロット信号７′およびデータ部８′からなるデータスロットが構成される。
【００２４】
ところで、上述の基地局の送信系１８にて送信された信号は、移動体通信端末の受信系にて受信されるようになっているが、この移動体通信端末の受信系３０としては、例えば図１に示すように構成されている。
ここで、この図１に示す受信系３０において、１９は基地局の送信系１８からの送信信号を無線受信して電気信号に変換する無線受信部（Ｒｘ）、２０は受信信号のパスを検出するパス検出部であって、このパス検出部２０は更に、マッチドフィルタ（ＭＦ）２０ａおよびサーチャ２０ｃをそなえて構成されている。
【００２５】
すなわち、マッチドフィルタ２０ａは、無線受信部１９からの受信信号のビットデータについて、外挿パイロット信号用拡散コード２０ｂとの相関を演算するものであり、サーチャ２０ｃは、マッチドフィルタ２０ａにて演算された相関値に基づいて、複数の（図１においては３つの）パスを介して受信された受信信号の受信タイミング（ｔ１〜ｔ３）を抽出するものである。
【００２６】
また、２１は外挿パイロット信号用の拡散コードを発生させる拡散コード発生器であり、２２−１〜２２−３はそれぞれ、サーチャ２０ｃにて抽出された各パスにおける受信信号の受信タイミング基づいて、無線受信部１９からの受信信号について、拡散コード発生器２１にて発生された外挿パイロット信号用の拡散コードで逆拡散する逆拡散部である。
【００２７】
具体的には、逆拡散部２２−１では、パス検出部２０からの受信タイミングｔ１に基づいて、無線受信部１９からの受信信号について拡散コード発生器２１にて発生された拡散コードで逆拡散し、逆拡散部２２−２では受信タイミングｔ２で受信される受信信号について上述の拡散コードで逆拡散し、逆拡散部２２−３では受信タイミングｔ３で受信される受信信号について上述の拡散コードで逆拡散する。
【００２８】
換言すれば、上述の逆拡散部２２−１〜２２−３により、データ信号を含む通信チャネルの拡散コードとは異なる拡散コードで拡散された第１パイロット信号を逆拡散する第１パイロット信号逆拡散部として機能するようになっている。
また、２３はチャネル推定装置であって、このチャネル推定装置２３は、後述する位相補正部２７−１〜２７−３における位相補正量（位相回転量）を推定するものであって、特に、後述のごとくチャネル推定のために用いられるパイロット信号として外挿パイロット信号と内挿パイロット信号とを併用するようになっている。
【００２９】
さらに、２４は通信チャネルごとのオフセットタイミングαを設定するオフセット設定部、２５は通信チャネル用の拡散コード（内挿パイロット信号およびデータ用の拡散コード）を発生する拡散コード発生器、２６−１〜２６−３は、オフセット設定部２４にてオフセットタイミングαが付加された各受信タイミングで、無線受信部１９からの受信信号について、拡散コード発生器２５からの拡散コードで逆拡散する逆拡散部である。
【００３０】
具体的には、逆拡散部２６−１では、受信タイミングｔ１＋αに基づいて、受信信号について通信チャネルの拡散コードで逆拡散し、逆拡散部２６−２では受信タイミングｔ２＋αに基づいて、受信信号について通信チャネルの拡散コードで逆拡散し、逆拡散部２６−３では受信タイミングｔ２＋αに基づいて、受信信号について通信チャネルの拡散コードで逆拡散する。
【００３１】
したがって、上述の逆拡散部２６−１〜２６−３により、データ信号に挿入されてデータ信号と同一の拡散コードで拡散された第２パイロット信号を逆拡散する第２パイロット信号逆拡散部として機能する。
また、各位相補正部２７−１〜２７−３は、それぞれ対応する逆拡散部２６−１〜２６−３にて逆拡散された受信信号について、チャネル推定装置２３にて推定された対応パスにおける受信信号ごとの位相回転量を用いて位相補正を行なうことにより、同期検波を実現する。
【００３２】
さらに、２８−１〜２８−３は遅延調整部であり、各遅延調整部２８−１〜２８−３は、パスの経路差に基づく受信タイミングを同一タイミングのデータとすべく、位相補正部２７−１〜２７−３からの信号について遅延調整するものである。また、レイク合成部２９は、遅延調整部２８−１〜２８−３にて受信タイミングを同一タイミングに調整された３つの受信信号についてレイク合成するものである。
【００３３】
これにより、本実施形態にかかる移動体通信端末の受信系３０においては、チャネル推定装置２３において各パスにおける伝搬路（位相回転量）を推定し、位相補正部２７−１〜２７−３において、この位相回転量の補正を有効パス全てにつき実施して、レイク合成部２９にてレイク合成しているので、受信信号のＳ／Ｎを向上させ、受信特性を改善させている。
【００３４】
なお、このレイク合成された信号は、復号処理ないし誤り訂正処理等が施された後に所望の信号再生処理（例えば音声信号としての再生等）がなされるようになっている。
ところで、上述のチャネル推定装置２３は、詳細には複素演算部２３ａ，２３ｂ，チャネル推定部２３ｃ，２３ｄ，ＲＳＣＰ／ＳＩＲ測定部２３ｅ，２３ｆ，コントローラ２３ｇおよび推定値選択ロジック部２３ｈをそなえて構成されている。
【００３５】
ここで、複素演算部（第１複素演算部）２３ａは、逆拡散部２２−１〜２２−３からの逆拡散後の外挿パイロット信号について複素演算処理を行なうことにより、外挿パイロット信号を復調するもので、復調後の信号は第１複素演算処理結果として出力される。尚、チャネル推定部（第１位相補正量算出部）２３ｃは、複素演算部２３ａからの第１複素演算処理結果を用いて、既知の位相に対する位相回転量（受信信号の位相補正量）を算出するもので、算出結果は第１補正量として後段の推定値選択ロジック部２３ｈに出力される。
【００３６】
さらに、複素演算部（第２複素演算部）２３ｂは、逆拡散部２６−１〜２６−３からの逆拡散後の内挿パイロット信号について複素演算処理を行なうことにより、内挿パイロット信号を復調するもので、復調された内挿パイロット信号は第２複素演算処理結果として出力される。尚、チャネル推定部（第２位相補正量推定部）２３ｄは、複素演算部２３ｂからの第２複素演算処理結果を用いて、既知の位相に対する位相回転量（受信信号の位相補正量）を算出するもので、算出結果は第２補正量として後段の推定値選択ロジック部２３ｈに出力される。
【００３７】
また、上述の２つの複素演算部２３ａ，２３ｂは、通信中のＳＩＲ測定やハンドオーバー制御のため、ほぼ常時並行動作するようになっている。
さらに、ＲＳＣＰ／ＳＩＲ測定部２３ｅ，２３ｆは、それぞれのパイロット信号に対してＲＳＣＰ（Received Signal Code Power;受信レベル（コードパワーと表記する場合もある））とＳＩＲ（Signal to Interference and noise power Ratio; 信号対干渉比）とを測定するものである。
【００３８】
換言すれば、ＲＳＣＰ／ＳＩＲ測定部２３ｅは、第１パイロット信号としての外挿パイロット信号による第１受信品質指標値（受信レベルおよびＳＩＲ）を測定する第１受信品質測定部として機能し、ＲＳＣＰ／ＳＩＲ測定部２３ｆは、第２パイロット信号としての外挿パイロット信号による第２受信品質指標値（受信レベルおよびＳＩＲ）を測定する第２受信品質測定部として機能する。
【００３９】
なお、ＲＳＣＰ／ＳＩＲ測定部２３ｆにおいては、所定の周期で測定された受信品質指標値データとしての受信レベルおよびＳＩＲを平均することにより、内挿パイロット信号による受信品質指標値の測定値として用いており、これにより、内挿パイロット信号による受信品質指標値としての精度を確保している。
また、コントローラ２３ｇは、各ＲＳＣＰ／ＳＩＲ測定部２３ｅ，２３ｆからの受信レベル値とＳＩＲ値とを入力されて、これらの値から外部受信環境を推定して、推定値選択ロジック部２３ｈに対する配分比パラメータ、具体的にはチャネル推定部２３ｃからの位相回転量（後述の式（１）におけるＶｃｐ参照），チャネル推定部２３ｄからの位相回転量（同式におけるＶｄｐ参照）に対する配分比パラメータを設定制御するものである。即ち、このコントローラ２３ｇは、第１受信品質指標値および第２受信品質指標値に基づいて、上述の第１補正量および第２補正量に対する配分比パラメータを設定する配分比設定部として機能する。
【００４０】
また、コントローラ２３ｇは、上述の内挿パイロット信号および外挿パイロット信号から測定される受信レベル値およびＳＩＲ値に応じて、配分比パラメータ（後述の式（１）におけるα，β参照）とともに、既知の固定的な干渉波の影響を解消するための干渉補正値（後述する式（１）のＡ，Ｂ参照）についてそれぞれ記憶する参照テーブル２３ｉをそなえている。
【００４１】
そして、コントローラ２３ｇは、各ＲＳＣＰ／ＳＩＲ測定部２３ｅ，２３ｆからの受信レベル値とＳＩＲ値をもとに参照テーブル２３ｉを参照することにより、上述の配分比パラメータおよび位相補正値を出力制御できるようになっている。これにより、ハードの構成や動作状況によって変化することが予想される最適な制御パラメータをメモリアクセスによって高速に取り出すことが可能である。
【００４２】
また、参照テーブル２３ｉにおいては、各パイロット信号のＳＩＲ値の範囲ないし受信レベルの範囲の組み合わせに応じて設定された最適な配分比パラメータ（後述の式（１）に示すα，β）ないし干渉補正量（同式に示すＡ，Ｂ）を記憶しておく。また、受信方式等の変更により状況が変わっても（例えば、符号間干渉量の増減）テーブルを変更することにより対応する。
【００４３】
すなわち、例えば図７（ａ）に示すように、復調された外挿パイロット信号の受信品質指標値（受信パワーないしＳＩＲ）４６が、復調された内挿パイロット信号の受信品質指標値（受信パワーないしＳＩＲ）４７に比べて十分に（定められた比較マージン値以上）大きい場合には、コントローラ２３ｇでは、復調された外挿パイロット信号のみを用いて位相回転量が推定されるように、配分比パラメータを設定する（図８における基地局移動局距離の範囲Ｐ参照）。
【００４４】
また、図７（ｂ）に示すように、無線基地局４４と移動局４５との間が遠くなり、無線基地局４４によるＴＰＣが働くことによって、復調された外挿パイロット信号の受信品質指標値（受信パワーないしＳＩＲ）４８が、復調された内挿パイロット信号の受信品質指標値（受信パワーないしＳＩＲ）４９に比べて十分に（定められた比較マージン値以上）小さくなった場合には、コントローラ２３ｇでは、復調された内挿パイロット信号のみを用いて位相回転量が推定されるように、配分比パラメータを設定する（図８における基地局移動局距離の範囲Ｒ参照）。
【００４５】
さらに、無線基地局４４と移動局４５との距離が上述の範囲ＰとＲとの中間Ｑにある場合には、推定値選択ロジック部２３ｈでは、復調された外挿パイロット信号および内挿パイロット信号の双方を用いて位相回転量を推定する。具体的には、コントローラ２３ｇによる配分比パラメータを、復調された外挿パイロット信号の受信品質指標値が内挿パイロット信号の受信品質指標値に対して相対的に劣化するに従い、チャネル推定部２３ｄからのチャネル推定値（第２補正量）の配分比をチャネル推定部２３ｃからのチャネル推定値（第１補正量）の配分比に対して相対的に増加させるような設定としている。
【００４６】
換言すれば、外挿パイロット信号にかかる受信品質指標値との大小判断の対象となる、内挿パイロット信号にかかる受信品質指標値に、当該受信品質指標値の種類に応じた比較マージン値が設定されて、コントローラ２３ｇにおいては、これらの値の大小に応じた配分比パラメータが設定できるように構成されている。
ところで、推定値選択ロジック部２３ｈは、上述のチャネル推定部２３ｃおよびチャネル推定部２３ｄからのチャネル推定値を入力されるとともに、コントローラ２３ｇからの配分比パラメータないし干渉補正値とを入力されて、これらの値を用いた計算式による演算に基づき、該当するパスの位相回転量を算出するものである。
【００４７】
具体的には、推定値選択ロジック部２３ｈでは、以下の式（１）で最終的な位相回転量Ｖｃｈを求める。即ち、推定値選択ロジック部２３ｈにて各パスごとに式（１）により算出された位相回転量を位相補正部２７−１〜２７−３に出力して、位相補正を行なう。
Ｖｃｈ＝α×（Ｖｃｐ−Ａ）＋β×（Ｖｄｐ−Ｂ）            …（１）
なお、前述したように、Ｖｃｐは外挿パイロット信号に基づく位相回転量（ベクトル量、図１のチャネル推定部２３ｃの出力）、Ｖｄｐは内挿パイロット信号に基づく位相回転量（ベクトル量、図１のチャネル推定部２３ｄの出力）、α，βは外挿／内挿の配分を決定する配分比パラメータ、Ａ，Ｂは既知の固定的な干渉に対する補正値（ベクトル量）である。
【００４８】
すなわち、推定値選択ロジック部２３ｈにおいては、干渉補正値Ａ，Ｂにより補正された各演算処理処理結果（Ｖｃｐ−Ａ），（Ｖｄｐ−Ｂ）について、前記配分比パラメータにより配分された値（式（１）の演算結果）を算出して、位相回転量（推定結果）として各パスに対応して出力する。
例えば、前述の図８に示す基地局移動局距離の範囲がＰの場合にはαを「１」、βを「０」と設定し、範囲がＲの場合にはαを「０」、βを「１」と設定し、範囲がＱの場合には、外挿パイロット信号の受信品質指標値が内挿パイロット信号の受信品質指標値に対して相対的に劣化するに従い、αを「１」から「０」へ、βを「０」から「１」へと段階的ないし連続的に変化していくように設定する。
【００４９】
換言すれば、推定値選択ロジック部２３ｈは、コントローラ２３ｇからの配分比パラメータにより、第１補正量としてのチャネル推定部２３ｃからの算出結果と、第２補正量としてのチャネル推定部２３ｄからの算出結果とが配分された値を算出し、位相補正量（推定結果）として出力する出力部として機能する。
さらに、上述のチャネル推定部２３ｃ，２３ｄ，ＲＳＣＰ／ＳＩＲ測定部２３ｅ，２３ｆ，コントローラ２３ｇおよび推定値選択ロジック部２３ｈにより、第１演算処理結果としての複素演算処理部２３ａからの演算結果および第２演算処理結果としての複素演算処理部２３ｂからの演算結果を用いて、受信信号に対する位相補正量を出力する補正量出力部として機能し、この補正量出力部としての機能については、演算回路(DSP; Digital Signal Processor)により構成することも可能である。
【００５０】
ところで、図３を用いて説明したように、内挿パイロット信号７′は、通信チャネル８Ａを構成する各データスロット８′内に時分割多重されている。従って、上述の図１に示すチャネル推定装置２３においては、内挿パイロット信号７′のみではデータ部８′の位相誤差（データが入力されている区間における位相誤差）を直接測定することはできず、間欠的に挿入された内挿パイロット信号７′を用いて算出した位相回転量を平均して用いているにすぎない。
【００５１】
つまり、以下に詳述するように、通信チャネルの信号成分が外挿パイロット信号を受信する際のノイズとして作用する場合以外は、データが入力されている区間における位相回転量を直接測定することができる外挿パイロット信号４′を用いて位相誤差を測定する方が、内挿パイロット信号のみを用いて測定する場合に比べて特性的に有利である。この場合においては、配分比パラメータにより、外挿パイロット信号の成分の比率を内挿パイロット信号の成分よりも多くして位相回転量を測定する。
【００５２】
しかしながら、以下のように、ＴＰＣ制御が働くことにより、通信チャネルの信号成分が外挿パイロット信号を受信する際のノイズとして作用する場合もある。このような場合においては、外挿パイロット信号のみを位相回転量の推定のために用いるよりも、内挿パイロット信号についても用いることが適切な場合もある。
【００５３】
すなわち、図４に示すような無線基地局３１〜３６，ネットワーク（ＮＷ）制御局３７，３８，他ネットワーク４２と接続するためのゲートウェイ局３９および移動体通信端末としての移動局４０，４１からなる移動体通信システム４３において、移動局４０と移動局４１とが無線基地局３１と通信中であるとする。
移動局４０は、無線基地局３１の近辺、移動局４１は、無線基地局３２の近辺に位置しているものとする。各移動局４０，４１は、無線基地局３１から送信される外挿パイロット信号を受信し、この外挿パイロット信号を用いて、無線基地局１からのデータを受信している。この場合において、無線基地局３１の外挿パイロット信号からすると、無線基地局３２と自局との間の通信チャネルもノイズとして認識される。
【００５４】
２つの移動局４０，４１が同一のサービスを受けている場合、（例えば音声通信、非制限ディジタル通信、パケット等）一定のエラーレートが保証される必要がある。エラーレートが水準に達しない場合、音声品質の大幅な劣化やパケット通信システムの輻輳等を招いてしまう。
ＣＤＭＡの場合、システム容量を確保するため、例えばＴＤＭＡ(TimeDivision Multiple Access)等の方式のように、各チャネルに必要以上のレベルを割り当て、エラーレートを確保することはできない。そのため、通信チャネルでは、送信パワー制御によるレベルの最適化が必須となっている。ただし、外挿パイロット信号は、個別の移動体通信端末に対応した送信パワー制御の対象外であり、以下に説明する通信チャネルと外挿パイロット信号のレベル的アンバランスが生じてしまうことになる。
【００５５】
図５は上述の外挿パイロット信号への干渉について説明する図である。この図５中、無線基地局３１は１０ｄＢｍレベルで外挿パイロット信号を送信している。移動局４０および移動局４１までの伝搬ロスはそれぞれ−７０ｄＢ、−９０ｄＢだったとする。即ち、移動局４０よりも移動局４１のほうが２０ｄＢ分だけ遠くにいる。この場合において、無線基地局３２からの干渉（他局干渉）波の影響が、移動局４０で−１０ｄＢ相当、移動局４１で−２０ｄＢ相当だったとする。即ち、移動局４１が移動局４０よりも１０ｄＢ分だけ無線基地局３２の近くにいることになる。
【００５６】
ここで、各移動局４０，４１のサービスのために要求されるエラーレートを維持するために必要な受信レベルが−９０ｄＢｍだとすると、無線基地局３１から移動局４０向けの通信チャネル（ＤＣＨ１）の送信レベルＴｘ＿ＤＣＨ１は−１０ｄＢｍとなり、無線基地局３１から移動局４１向けの通信チャネル（ＤＣＨ２）の送信レベルＴｘ＿ＤＣＨ２は＋２０ｄＢｍとなる。換言すれば、無線基地局３１における通信チャネルＤＣＨ１，ＤＣＨ２の送信レベルは、ＴＰＣにより、それぞれ−１０ｄＢｍ，＋２０ｄＢｍに制御される。
【００５７】
２つの送信レベルＴｘ＿ＤＣＨ１およびＴｘ＿ＤＣＨ２の差３０ｄＢは、伝搬ロスと干渉の合計となっている。また、各移動局３１，３２が受信する外挿パイロット信号の受信レベルＲｘ＿ＣＰＩＣＨ１，Ｒｘ＿ＣＰＩＣＨ１は、伝搬ロスの影響でＲｘ＿ＣＰＩＣＨ１＝−６０ｄＢｍ、Ｒｘ＿ＣＰＩＣＨ２＝−８０ｄＢｍとなる。
【００５８】
このとき、移動局４０において受信された外挿パイロット信号と各干渉波とのレベル比は、以下の式（２）〜（４）とおりとなる。
外挿パイロット信号／通信チャネル：
Ｒｘ＿ＣＰＩＣＨ１／Ｒｘ＿ＤＣＨ１＝＋２０ｄＢ          …（２）
外挿パイロット信号／他局干渉：
Ｒｘ＿ＣＰＩＣＨ１／他局干渉＝−７０ｄＢｍ              …（３）
内挿パイロット信号／他局干渉：
Ｒｘ＿ＤＣＨ１／他局干渉＝−９０ｄＢｍ（ＴＰＣ制御下）  …（４）
また、移動局４１において受信された外挿パイロット信号と各干渉波とのレベル比については、以下の式（５）〜（７）のとおりとなる。
【００５９】
外挿パイロット信号／通信ＣＨ：
Ｒｘ＿ＣＰＩＣＨ２／Ｒｘ＿ＤＣＨ２＝−１０ｄＢ          …（５）
外挿パイロット信号／他局干渉：
Ｒｘ＿ＣＰＩＣＨ２／他局干渉＝−１００ｄＢｍ            …（６）
内挿パイロット信号／他局干渉：
Ｒｘ＿ＤＣＨ２／他局干渉＝−９０ｄＢｍ（ＴＰＣ制御下）  …（７）
この場合のように、無線基地局３１においてＴＰＣによる制御が行なわれた場合には、移動局４１では基地局３１からの外挿パイロット信号の受信特性が明らかに劣化し、通信チャネルのエラーレートも劣化する。
【００６０】
続いて、上述のごとくＴＰＣによって受信特性が劣化した外挿パイロット信号を用いて推定された位相回転量を用いて、位相補正を行なうことにより、受信感度が劣化することについて図６（ａ）〜図６（ｄ）を用いて説明する。
まず、逆拡散タイミングは、サーチャ２０ｃ（図１参照）で検出するため、パイロット信号を認識しなくても、逆拡散は可能である。受信信号はＩ／Ｑで拡散されており、それぞれを復調（逆拡散＋シンボル単位での積分）し、仮想的なＩ／Ｑ平面にマッピングすると、図６（ａ）で示すような回転ベクトルとして表現できる。ただし、ＡＧＣ(Automatic Gain Control)によりＡＤ変換後のレベルが一定に保たれていることが前提である。
【００６１】
図６（ａ）に示すように、パイロット信号は、フレーム中の位置が分かれば値は既知であるため、一定の回転処理（極座標演算）をすれば図６（ｂ）のように一点に集めることは可能である。ただし実際は無線基地局と移動局のキャリア偏差や伝搬路での遅延量変動のため、受信したベクトルは回転してしまう。
ここで、パイロット信号のＩ／Ｑ平面上での位置が分かり、そのベクトルの単位時間での回転量Δθ（図６（ｃ），式（８）参照）を測定することにより、各パスにおける伝搬遅延（キャリア偏差を含む）を測定したことになる（チャネル推定）。測定された回転量Δθを用いて式（９）に示す極座標行列演算により実信号ベクトルを位相補正すれば、移動局では無線基地局とキャリアを共有したことになり、同期検波を実現することができる。
【００６２】
【数１】
0004448633.tif 000002
【００６３】
ここで、θmoveは温度／フェージング／マルチパス等による位相変化、θerrorは、無線基地局と移動局のキャリア周波数偏差による位相変化、（Ｒｉ，Ｒｑ）は受信ベクトル、（Ｄｉ，Ｄｑ）は実信号ベクトルである。
ところで、外挿パイロット信号のみを用いてチャネル推定を行なっている場合においては、この外挿パイロット信号の受信性能が劣化すると、チャネル推定の精度が低下し、Ｉ／Ｑ平面状でのベクトルの回転量の補正が出来なくなり、正確な復調が困難になる。図６（ｄ）にパイロット信号に干渉が重畳された場合にベクトル信号の変化を示す。干渉がランダムな場合、この図６（ｄ）の中点線Ａで示すような範囲に交点がばらつき、正確な回転量の測定が出来なくなる。
【００６４】
すなわち、希望波強度Ｂと、中点線Ａで示すような範囲でばらつく干渉波強度Ｃとの比によって得られるＳＩＲ値が、必然的に劣化する。ここで、通信チャネルを位相補正する場合、本来マッピングされている象限からずれるとエラーとなる。受信レベルが大きく、干渉が小さい場合でも、回転量の補正が不正確な場合はエラーが増加する。
【００６５】
外挿パイロット信号は受信するデータと同じタイミングでのチャネル推定が可能であり、回路的に相当有利となるが、図５で説明したように、ＴＰＣ（送信パワー制御）により増加した通信ＣＨ自身により、外挿パイロット信号のＳＩＲが劣化する。つまり、感度を上げるための制御が、逆に感度を劣化させてしまう。
ところで、内挿パイロット信号は、復調する信号の前後のタイミングでしかＣＨ推定ができない。精度を上げるためには、平均化の処理が必要であり、特性も外挿パイロット信号よりも劣る。
【００６６】
しかし、外挿パイロット信号と異なって移動局での受信レベルがＴＰＣ動作に連動しているため、通信ｃｈ自身による干渉の増加はありえない。タイミング的にもずれている。さらに図４の外部干渉に対する劣化に関しても、外挿パイロット信号の場合、干渉分ＳＩＲが劣化するだけであるが、内挿パイロット信号の場合、ＴＰＣ制御によるレベル増加がされ、劣化分が補正されることになる。例えば、−１０ｄＢ相当の干渉により受信感度が劣化した場合、＋１０ｄＢのレベルアップの制御がなされ、ＳＩＲが維持される。
【００６７】
そこで、本実施形態にかかるチャネル推定装置２３は、位相回転量の推定のために用いられるパイロット信号として、外挿パイロット信号と内挿パイロット信号とを併用する。即ち、上述の式（１）に基づいて位相回転量を推定することにより、ＴＰＣの条件によらずに、位相回転量の推定に対する精度を向上させ安定度を確保することができ、位相補正後の受信感度についても良好なものを確保しているのである。
【００６８】
上述の構成により、本実施形態にかかる移動体通信システムにおいては、無線基地局においてそれぞれの拡散コードで拡散された通信チャネル♯１〜♯Ｎと外挿パイロット信号とを送信する。また、移動体通信端末（移動局）では、上述の外挿パイロット信号とともに１チャネルの通信チャネルの信号成分を受信する。
すなわち、パス検出部２０にて自身の通信チャネルのレイク合成のためのパスを検出するとともに、それぞれのパスを通じて受信される信号成分の受信タイミングｔ１〜ｔ３を検出し、各パスを通じた受信信号について、逆拡散部２２−１〜２２−３にて外挿パイロット信号用の拡散コードで逆拡散するとともに、逆拡散部２６−１〜２６−３において自身の通信チャネル用の拡散コードで逆拡散する。
【００６９】
また、位相補正部２７−１〜２７−３では、逆拡散部２６−１〜２６−３にて逆拡散された通信チャネルの信号について、チャネル推定装置２３にて推定された位相回転量を用いて位相補正を行ない、遅延調整を行なった後にレイク合成する。
ここで、チャネル推定装置２３の複素演算部２３ａでは、逆拡散部２２−１〜２２−３からの逆拡散信号について、上述の式（９）に示す複素演算処理を行なうことにより、外挿パイロット信号を復調する。また、複素演算部２３ｂでは、逆拡散部２６−１〜２６−３からの逆拡散信号のうちで内挿パイロット信号の信号成分について、式（９）に示す複素演算処理を行なって、内挿パイロット信号を復調する。
【００７０】
さらに、ＲＳＣＰ／ＳＩＲ測定部２３ｅでは、上述の複素演算部２３ａにて復調された外挿パイロット信号を用いて受信レベルおよびＳＩＲ（外挿パイロット信号の希望波強度と復調された外挿パイロット信号の干渉波強度との比）を測定する。同様に、ＲＳＣＰ／ＳＩＲ測定部２３ｆでは、複素演算部２３ｂにて復調された内挿パイロット信号を用いて受信レベルおよびＳＩＲを測定する。
【００７１】
推定値選択ロジック２３ｈでは、上述のごとく復調された外挿パイロット信号および内挿パイロット信号を用いて算出されたチャネル推定値を入力され、これらの値を式（１）におけるＶｃｐおよびＶｄｐとして演算処理を行なって、各パスのチャネル推定値を位相補正部２７−１〜２７−３に出力する。なお、式（１）におけるパラメータとなるα，β，ＡおよびＢについては、コントローラ２３ｇにおいて、ＲＳＣＰ／ＳＩＲ測定部２３ｅ，２３ｆにて測定された受信レベルおよびＳＩＲをもとに、参照テーブル２３ｇを参照することにより、受信感度を最適にすることができるものを取り出して、推定値選択ロジック部２３ｈに通知する。
【００７２】
なお、実環境では、送信電力制御により通信チャネルのレベルは常に変動しており、自局の通信チャネル自体からの干渉量も状況により変化することになる。チャネル推定装置２３においても、復調された外挿パイロット信号および内挿パイロット信号の状況に応じて式（１）のパラメータを修正することにより特性の改善を図っている。
【００７３】
なお、位相補正部２７−１〜２７−３では、このようにして推定された位相回転量を用いて位相補正を行ない、受信感度を最適な状態にしている。
このように、本発明の一実施形態にかかる移動体通信端末によれば、複素演算部２３ａ，２３ｂ，チャネル推定部２３ｃ，２３ｄ，ＲＳＣＰ／ＳＩＲ測定部２３ｅ，２３ｆ，コントローラ２３ｇおよび推定値選択ロジック部２３ｈをそなえたことにより、位相回転量の推定のために用いられるパイロット信号として、外挿パイロット信号と内挿パイロット信号とを併用することにより、外挿パイロット信号への干渉の影響を小さくし、チャネル推定（位相回転量の推定）精度を向上させ安定度を確保することができるのみならず、位相補正後の受信感度についても良好なものを確保することができ、ひいては、送信パワー制御を最適化することが可能となり、無線基地局の送信レベルを下げ、システム容量を増加させることができる。
（ｂ）その他
本発明にかかる移動体通信端末によれば、上述の本実施形態にかかる方式のほか、外挿パイロット信号、内挿パイロット信号を併用する公知のＣＤＭＡ方式のベースバンド受信方式において、同様に適用することができる。
【００７４】
また、上述の本実施形態にかかるチャネル推定装置２３においては、式（１）を用いて位相回転量を推定しているが、本発明によればこれに限定されず、ＳＩＲや受信レベル等の条件を境界として、復調された外挿パイロット信号および内挿パイロット信号を単純に切り替えるのみで位相回転量を推定してもよく、このようにしても、両パイロット信号を比較して特性の良い面を引き出しつつ同期検波を行なうことができる。
【００７５】
さらに、上述のチャネル推定装置２３においては、受信品質指標値（第１受信品質指標値および第２受信品質指標値）として、受信レベルおよびＳＩＲの組み合わせを用いているが、本発明によればこれに限定されず、単一の受信品質指標値を用いて上述の配分比パラメータを設定するようにコントローラ２３ｇを構成してもよく、この場合においても、上述の本実施形態の場合とほぼ同様の利点がある。
【００７６】
この場合においては、第１，第２受信品質測定部としては、図１の符号２３ｅ，２３ｆに示す機能部を、単一種の受信品質指標値のみを測定する機能部として構成してもよく、また、コントローラ２３ｇにおいては、単一種の受信品質指標値に基づく配分比パラメータを記憶する参照テーブルとして構成してもよい。
例えば、上述の単一種の受信品質指標値としては、復調されたパイロット信号の受信レベルのほかに、ＳＩＲやビット単位の信号対雑音比（Ｅｂ／Ｉｏ）のほかに、復調された外挿パイロット信号および内挿パイロット信号エラー数の算出値を用いることも可能である。また、これらの各指標値について、任意に組み合わせて実施することも可能であることはいうまでもない。
【００７７】
また、上述の実施形態における比較マージン値としては、絶対的な値（例えば受信レベルを受信品質指標値とした場合のデシベル値）として設定することができるが、実質的にマージン値を持たない（０ｄＢ）ように構成してもよい。受信レベル以外の値を受信品質指標値として用いた場合も同様である。
この場合においては、推定値選択ロジック部２３ｈでは、ＲＳＣＰ／ＳＩＲ測定部２３ｅからの受信品質指標値が、ＲＳＣＰ／ＳＩＲ測定部２３ｆからの受信品質指標値よりも大きい場合には、チャネル推定部２３ｃからのチャネル推定値を位相補正量として出力すべく配分比パラメータを設定する一方、ＲＳＣＰ／ＳＩＲ測定部２３ｅからの受信品質指標値が、ＲＳＣＰ／ＳＩＲ測定部２３ｆからの受信品質指標値よりも小さい場合には、チャネル推定部２３ｄからのチャネル推定値を位相補正量として出力すべく配分比パラメータを設定する。
【００７８】
さらに、上述の実施形態のごとく、共通パイロットとしての外挿パイロットの受信電力が小さい場合にその影響度を小さくすることに着目して制御を行なっているが、本発明によれば、特に無線基地局に近いエリアにおいて、ＴＰＣが使用されて、見かけ上受信電力が大きく見えている個別パイロットよりも外挿パイロットの影響を大きく見せることも考えられる。
また、本発明によれば、ＣＤＭＡ通信方式以外の通信方式を適用した移動体通信端末に対しても、適用することはもちろん可能である。
また、上述した実施形態に関わらず、本発明の趣旨を逸脱しない範囲において種々変形して実施することも可能である。
【００７９】
また、上述のごとく開示された各実施形態によって、本願発明にかかる装置を製造することは可能である。
（ｃ）付記
（付記１）  ＣＤＭＡ通信方式による逆拡散処理の施された受信信号についてのキャリア信号を同期検波により再生するために、パイロット信号からデータ信号の位相回転量を推定する移動体通信端末であって、
前記データ信号を含む通信チャネルの拡散コードとは異なる拡散コードで拡散された第１パイロット信号を逆拡散する第１パイロット信号逆拡散部と、
前記データ信号内に挿入されて前記データ信号と同一の拡散コードで拡散された第２パイロット信号を逆拡散する第２パイロット信号逆拡散部と、
該第１パイロット信号逆拡散手段にて逆拡散処理の施された信号について複素演算処理を行ない、第１演算処理結果として出力する第１複素演算部と、
該第２パイロット信号逆拡散手段にて逆拡散処理の施された信号について複素演算処理を行ない、第２演算処理結果として出力する第２複素演算部と、
上記の第１演算処理結果および第２演算処理結果を用いて、前記受信信号の同期検波のための位相回転量の推定結果を出力する補正量出力部と、
をそなえて構成されたことを特徴とする、移動体通信端末。
【００８０】
（付記２）  該補正量出力部が、
前記第１演算処理結果を用いて、前記第１パイロット信号による第１受信品質指標値を測定する第１受信品質測定部と、
前記第２演算処理結果を用いて、前記第２パイロット信号による第２受信品質指標値を測定する第２受信品質測定部と、
前記第１演算処理結果を用いて、前記受信信号の位相補正量を算出し、第１補正量として出力する第１位相補正量算出部と、
前記第２演算処理結果を用いて、前記受信信号の位相補正量を算出し、第２補正量として出力する第２位相補正量算出部と、
上記の第１受信品質指標値および第２受信品質指標値に基づいて、上記の第１補正量および第２補正量に対する配分比パラメータを設定する配分比設定部と、
該配分比設定部からの前記配分比パラメータにより、上記の第１補正量および第２補正量が配分された値を算出し、前記位相補正量として出力する出力部と、
をそなえて構成されたことを特徴とする、付記１記載の移動体通信端末。
【００８１】
（付記３）  該配分比設定部が、前記の第１受信品質指標値が第２受信品質指標値に対して相対的に劣化するに従い、前記第２補正量の配分比を前記第１補正量の配分比に対して相対的に増加させるように構成されたことを特徴とする、付記２記載の移動体通信端末。
（付記４）  該配分比設定部が、前記第１受信品質指標値が前記第２受信品質指標値よりも大きい場合には、該第１位相補正量算出部からの第１補正量を前記位相補正量として出力すべく前記配分比パラメータを設定する一方、前記第１受信品質指標値が前記第２受信品質指標値よりも小さい場合には、該第２位相補正量算出部からの第２補正量を前記位相補正量として出力すべく前記配分比パラメータを設定することを特徴とする、付記２記載の移動体通信端末。
【００８２】
（付記５）  該配分比設定部に、上記の第１受信品質指標値との大小判断の対象となる第２受信品質指標値に、前記受信品質指標値の種類に応じた比較マージン値が設定され、前記の第１受信品質指標値と第２受信品質指標値に上記比較マージン値を加えた値との大小に応じた配分比パラメータを設定すべく構成されたことを特徴とする、付記４記載の移動体通信端末。
【００８３】
（付記６）  受信したパイロット信号を用いて、補正すべき受信信号の位相補正量を推定するＣＤＭＡ通信用の移動体通信端末において、
異なる拡散符号で拡散され送信されたパイロット信号の双方に基づいて、前記位相補正量を推定する推定結果出力部を、
をそなえて構成されたことを特徴とする、移動体通信端末。
【００８４】
（付記７）  前記異なる拡散符号で拡散されたパイロット信号は、個別通信チャネルでデータ信号送信期間外に間欠的に送信される第１パイロット信号、及び、共通チャネルで該データ信号送信期間内にも送信される第２のパイロット信号を含み、
前記推定結果出力部が、該第2のパイロット信号の受信品質が低下するにつれて、前記推定において、該第１のパイロット信号の影響度を第２のパイロット信号の影響度よりも高めるように構成されたことを
特徴とする、付記６記載の移動体通信端末。
【００８５】
（付記８）  既知信号を使用してチャネル推定を行なう移動体通信システムの移動体通信端末において、
複数の移動体通信端末で共通に使用される第１の既知信号と特定の移動体通信端末で使用される第２の既知信号とを使用してチャネル推定を行なうチャネル推定部を、
そなえて構成されたことを特徴とする、移動体通信端末。
【００８６】
（付記９）  前記チャネル推定部は、前記第１の既知信号の受信品質、前記第２の既知信号の受信品質に応じて、該第１の既知信号、該第２の既知信号にそれぞれ重み付けをしてチャネル推定を行なうことを特徴とする、付記８記載の移動体通信端末。
（付記１０）  前記チャネル推定部は、前記第１の既知信号の受信品質、あるいは前記第２の既知信号の受信品質に応じて、該第１の既知信号、あるいは該第２の既知信号に重み付けをしてチャネル推定を行なうことを特徴とする、付記８記載の移動体通信端末。
【００８７】
（付記１１）  上記の第１受信品質測定部および第２受信品質測定部が、前記各パイロット信号による受信品質指標値として、受信レベルを測定するように構成されたことを特徴とする、付記２記載の移動体通信端末。
（付記１２）  上記の第１受信品質測定部および第２受信品質測定部が、前記各パイロット信号による受信品質指標値として、信号対干渉比またはビット単位の信号対雑音比を測定するように構成されたことを特徴とする、付記２記載の移動体通信端末。
【００８８】
（付記１３）  上記の第１受信品質測定部および第２受信品質測定部が、前記各パイロット信号による受信品質指標値として、前記受信レベルとともに、前記各パイロット信号のパターンのエラー数を算出するように構成されたことを特徴とする、付記２記載の移動体通信端末。
（付記１４）  該配分比設定部が、第１受信品質指標値および第２受信品質指標値の関係に対応した配分比パラメータについて記憶する参照テーブルをそなえ、上記の第１受信品質測定部および第２受信品質測定部からの各受信品質指標値をもとに、該参照テーブルを参照することにより、上述の配分比パラメータを出力制御すべく構成されたことを特徴とする、付記２〜５，１１〜１３のいずれか一項記載の移動体通信端末。
【００８９】
（付記１５）  該第２受信品質測定部が、所定の区間において測定された受信品質指標値データを平均することにより、前記各パイロット信号による受信品質指標値を測定すべく構成されたことを特徴とする、付記２〜５，１１〜１４のいずれか一項記載の移動体通信端末。
（付記１６）  該配分比設定部が、上記の第１受信品質指標値および第２受信品質指標値に応じて、上記の第１演算処理結果および第２演算処理結果に対する干渉補正値がそれぞれ設定され、該出力部においては、前記干渉補正値により補正された各演算処理処理結果について、前記配分比パラメータにより配分された値を算出して、前記推定結果として出力すべく構成されたことを特徴とする、付記２〜５，１１〜１５のいずれか一項記載の移動体通信端末。
【００９０】
【発明の効果】
以上詳述したように、本発明の移動体通信端末によれば、補正量出力部により、第１演算処理結果および第２演算処理結果を用いて、受信信号に対する位相補正のための位相回転量を推定結果として出力することにより、外挿パイロット信号および内挿パイロット信号の併用により、推定精度を向上させ安定度を確保することができるのみならず、位相補正後の受信感度についても良好なものを確保することができ、ひいては、送信パワー制御を最適化することが可能となり、無線基地局の送信レベルを下げ、システム容量を増加させることができる。
【図面の簡単な説明】
【図１】本発明の一実施形態にかかる移動体通信端末が適用された移動体通信端末の受信系を示すブロック図である。
【図２】基地局の送信系を示すブロック図である。
【図３】外挿パイロット信号および内挿パイロット信号のタイミングを示す図である。
【図４】ＴＰＣ制御の態様を説明するための移動体通信システムを示す図である。
【図５】ＴＰＣ制御の態様を説明するための図である。
【図６】（ａ）〜（ｄ）はいずれも、ＴＰＣによって受信特性が劣化した外挿パイロット信号を用いて推定された位相回転量を用いて同期検波を行なうことにより受信感度が劣化することについて説明する図である。
【図７】（ａ），（ｂ）はともに、ＴＰＣ制御に応じたコントローラによる配分比パラメータの設定態様を説明するための図である。
【図８】基地局移動局距離に応じた、復調された外挿パイロット信号および内挿パイロット信号の受信レベルを示す図である。
【符号の説明】
１，３  チャネライゼーション・コード
２  スクランブリング・コード
４  外挿パイロット信号用固定データ
４′  外挿パイロット信号
５，１０  加算部
６，１１  拡散・Ｉ／Ｑ値化部
７  内挿パイロット信号用固定データ
７′  内挿パイロット信号
８  通信チャネル♯１のデータ
８Ａ  通信チャネル
８′データ部
９  選択部
１２  ＴＰＣ部
１３  下りパワー制御部
１４Ｉ，１４Ｑ  加算部
１５Ａ  コサイン乗算部
１５Ｂ  サイン乗算部
１６  加算部
１７  送信増幅・ＲＦ部
１８  無線基地局の送信系
１９  無線受信部
２０  パス検出部
２０ａ  マッチドフィルタ
２０ｂ  サーチャ
２０ｃ  外挿コード保持部
２１  外挿パイロット信号用拡散コード発生器
２２−１〜２２−３  逆拡散部
２３  チャネル推定装置
２３ａ，２３ｂ  複素演算部
２３ｃ，２３ｄ  チャネル推定部
２３ｅ，２３ｆ  ＲＳＣＰ／ＳＩＲ測定部
２３ｇ  コントローラ
２３ｈ  推定値選択ロジック部
２３ｉ  参照テーブル
２４  オフセット設定部
２５  内挿パイロット信号用拡散コード発生器
２６−１〜２６−３  逆拡散部
２７−１〜２７−３  位相補正部
２８−１〜２８−３  遅延調整部
２９  レイク合成部
３０  移動体通信端末の受信系
３１〜３６，４４  無線基地局
３７，３８  ネットワーク制御局
３９  ゲートウェイ局
４０，４１，４５  移動局
４２  他ネットワーク
４３  移動体通信システム
４６〜４９  受信品質指標値
【図２】
0004448633.tif 000003
【図３】
0004448633.tif 000004
【図４】
0004448633.tif 000005
【図５】
0004448633.tif 000006
【図６】
0004448633.tif 000007
【図７】
0004448633.tif 000008
【図８】
0004448633.tif 000009
【図１】
0004448633.tif 000010